(57)【要約】      （修正有）【課題】使用前に消毒綿を作成するという手間を必要とせずに、十分な量の消毒液が含浸した消毒綿を提供することができる消毒綿収納容器を提供する。【解決手段】消毒綿収容装置は、内部に消毒綿１０を収容可能な収容部３を備えたハウジング１と、収容部から消毒綿を取り出すことができるようにハウジングに形成された消毒綿取出口４とを備えた消毒綿収容装置において、収容部３の内部に消毒液６が収容され、消毒綿を構成する基材が消毒液に浸された状態で収容部の内部に収容されている。【選択図】図３
2015168463.tif 000002
【特許請求の範囲】
【請求項１】
内部に消毒綿を収容可能な収容部を備えたハウジングと、
前記収容部から消毒綿を取り出すことができるように前記ハウジングに形成された消毒綿取出口と
を備えた消毒綿収容装置において、
前記収容部の内部に消毒液が収容され、
消毒綿を構成する基材が消毒液に浸された状態で収容部の内部に収容されている
ことを特徴とする消毒綿収容装置。
【請求項２】
小片に切り離し可能に形成された帯状基材をロール状に巻き回してなる基材ロールを備え、
前記基材ロールが、少なくともその外面の一部が消毒液に浸かった後に消毒綿取出口から取り出されるように前記収容部の内部に転動可能に収容されている
ことを特徴とする請求項１に記載の消毒綿収容装置。
【請求項３】
小片に切り離し可能に形成された帯状基材をジグザグ状に折り畳んでなる基材帯を備え、
ジグザグ状に折り畳まれた前記基材束が、少なくともその一方側の縁部が消毒液に浸かるように前記収容部の内部に収容されている
ことを特徴とする請求項１に記載の消毒綿収容装置。
【請求項４】
ジグザグ状に折り畳まれた前記基材束の底面が収容部の側面に固定されている
ことを特徴とする請求項３に記載の消毒綿収容装置。
【請求項５】
小片に切り離し可能に形成された帯状基材をジグザグ状に折り畳んでなる基材帯を備え、
ジグザグ状に折り畳まれた前記基材束が、少なくともその底部が消毒液に浸かるように前記収容部の内部に収容されている
ことを特徴とする請求項１に記載の消毒綿収容装置。
【請求項６】
ジグザグ状に折り畳まれた前記基材束の底面が収容部の底面に固定されている
ことを特徴とする請求項５に記載の消毒綿収容装置。
【請求項７】
前記基材が取り出されたときに容易に折り畳むことができるように取り出される小片一枚毎に折り畳みの折目がつけられている
ことを特徴とする請求項１〜６の何れか一項に記載の消毒綿収容装置。
【請求項８】
前記ハウジングが、透明もしくは半透明の材料から構成されている
ことを特徴とする請求項１に記載の消毒綿収容装置。
【発明の詳細な説明】
【技術分野】
【０００１】
本発明は、アルコール等の消毒液を脱脂綿や不織布に含浸させた消毒綿を収容し、必要に応じて内部に収容した消毒綿を取り出すことができるように構成された消毒綿収容装置に関する。
【背景技術】
【０００２】
病院等の医療現場では、患者への感染防止や患者の皮膚等の消毒および注射針、採血針による穿刺部位の消毒のために酒精綿が使われている。
この酒精綿は、予め適度な大きさにカットされた脱脂綿や不織布等の基材片と、十分な量のアルコールとを万能つぼに入れ、前記基材片をアルコールに浸すことによって作られる。
しかし、上記したように万能つぼを使って酒精綿を作る場合、基材の汚染を防ぐために、手洗い後にプラスチック手袋を装着し、手袋をアルコール消毒した後に、万能つぼに脱脂綿片や不織布片等の基材片を入れ、その後、万能つぼに十分量のアルコール製剤を注いで調整するという時間がかかる面倒な作業が必要となるので問題である。
上記した問題を解決するために、予め基材片にアルコールを含浸させた市販の酒精綿がある。
前記市販の酒精綿には、一回の使用量毎に袋に入れられたものや、複数枚単位で重ねてプラスチックケースに入れられたものがある。
しかし、一回の使用量毎に袋に入れられた酒精綿は、製造コストが高くなるという問題があり、また、使用するたびに袋を開封しなければならないので使い難く、さらに使用量が一定にならざるを得なく、採血後の血液が止まりにくい患者や採血作業上多めの酒精綿を必要としている採血作業者の場合には、二袋開封する必要があるので特に面倒である。
また、複数枚単位で重ねてプラスチックケースに入れられたものは、使用時に蓋を開けて上面開口部を全面的に開放するためアルコールが蒸発しやすく、そのため、使用頻度が少ない病院等の場合には、酒精綿を使い切る前に酒精綿のアルコール成分が無くなっていたり、殺菌消毒効果が薄れたり、さらには雑菌が繁殖したりする恐れがあった。
上記した問題を解決するために一つのパッケージで区分毎に独立して使い切ることができ、長期間にわたる使用においてもアルコール等の蒸発がなく、酒精綿を良好な状態に維持することができる酒精綿用容器が提案されている（特許文献１）
【先行技術文献】
【特許文献】
【０００３】
【特許文献１】特開２００３−２３１５６０号公報
【発明の概要】
【発明が解決しようとする課題】
【０００４】
上記した酒精綿容器は、一つのパッケージで区分毎に独立して使い切ることができるように構成されているので、開封していないパッケージはアルコール等の蒸発がなく、未使用の酒精綿を良好な状態で保存することが可能である。
しかし、酒精綿の使用量は病院施設毎、使用現場毎に必ずしも一定ではないので、上記した従来の酒精綿容器のように区分毎に独立して使い切ることができるように構成されているとはいえ、各区分には複数枚単位で重ねて酒精綿を収容している構成では、開封したパッケージに収容された酒精綿を一気に使い切れるとは限らず、使い切るまでに一定期間を要することもある。このような場合には、アルコールの蒸発、使用中の細菌等の混入、繁殖のリスクがあるため、問題の根本的な解決には至っていない。
また、酒精綿は、本来、使用前に少し絞って使う程度に多くのアルコールが含浸していることが、皮膚上の細菌類の洗い流しも兼ねて行われている消毒の行為の上で好ましく、衛生上及び消毒上、望ましいが、市販の酒精綿は特許文献１に記載の酒精綿に限らず、使用前に絞る程はアルコールが含浸してなく、アルコールの蒸発の有無に関係なく、アルコールの含浸量が足らないという問題がある。
本発明は、上記した従来の問題点を解決し、使用前に消毒綿を作成するという手間を必要とせずに、十分な量の消毒液が含浸した消毒綿を提供することができる消毒綿収納容器を提供することを目的としている。
【課題を解決するための手段】
【０００５】
上記した目的を達成するために、本発明による消毒綿収容装置は、内部に消毒綿を収容可能な収容部を備えたハウジングと、前記収容部から消毒綿を取り出すことができるように前記ハウジングに形成された消毒綿取出口とを備えた消毒綿収容装置において、前記収容部の内部に消毒液が収容され、消毒綿を構成する基材が消毒液に浸された状態で収容部の内部に収容されていることを特徴とする。
前記消毒綿は、好ましくは、あらかじめ使用するのに適切なサイズに容易に折り畳むことができるように折目の付いた状態で取り出すことができるように構成され得る。
前記消毒液は、エタノール７０％（ｗｔ）溶液又はイソプロピルアルコール７０％（ｗｔ）溶液であり得る。溶媒としては水が用いられ得るが、水に限定されるものではない。また、消毒液は、アルコールに耐性のない患者向けに使用されるポピドンヨード液でもよく、より殺菌効果の高いグルタルアルデヒド溶液でも良い。
前記基材は、例えば、小片に切り離し可能に形成された帯状基材をロール状に巻き回してなる基材ロールであり得、該基材ロールは、少なくともその外面の一部が消毒液に浸かった後に消毒綿取出口から取り出されるように前記収容部の内部に転動可能に収容され得る。
また、前記基材は、例えば、小片に切り離し可能に形成された帯状基材をジグザグ状に折り畳んでなる基材帯であり得、ジグザグ状に折り畳まれた前記基材束は、少なくともその一方側の縁部が消毒液に浸かるように前記収容部の内部に収容され得る。
この場合、好ましくは、ジグザグ状に折り畳まれた前記基材束の底面は収容部の側面に固定され得る。
さらにまた、前記基材は、小片に切り離し可能に形成された帯状基材をジグザグ状に折り畳んでなる基材帯であり得、ジグザグ状に折り畳まれた前記基材束が、少なくともその底部がアルコール溶液に浸かるように前記収容部の内部に収容され得る。
この場合、好ましくは、ジグザグ状に折り畳まれた前記基材束の底面は収容部の底面に固定され得る。
【発明の効果】
【０００６】
本発明による消毒綿容器は、内部に消毒綿を収容可能な収容部を備えたハウジングと、前記収容部から消毒綿を取り出すことができるように前記ハウジングに形成された消毒綿取出口とを備えた消毒綿容器において、前記収容部の内部に消毒液が収容され、消毒綿を構成する基材が消毒液に浸された状態で収容部の内部に収容されているので、十分な量の消毒液が基材に含浸した消毒綿を使用することができる。
また、内部に消毒液を収容して、その消毒液に浸すように消毒綿を構成する基材を配置しているので、消毒綿から消毒液成分が揮発して無くなってしまうことはない。
さらにまた、収容部内で消毒液に基材を浸しておくことで、基材に消毒液が含浸した消毒綿を使用することができるので、使用前に消毒綿を準備する手間がかからない。
また、小片に切り離し可能に形成された帯状基材をロール状に巻き回してなる基材ロールで前記基材を構成し、該基材ロールを、少なくともその外面の一部が消毒液に浸かった後に消毒綿取出口から取り出されるように前記収容部の内部に転動可能に収容することで、使用により基材ロールの直径が小さくなっていっても、基材ロールを構成する帯状基材が常に消毒液の中に浸っていることになるので、常に十分な量の消毒液が含浸した消毒綿を使用することができる。
さらに、小片に切り離し可能に形成された帯状基材をジグザグ状に折り畳んでなる基材帯で前記基材を構成し、ジグザグ状に折り畳まれた前記基材束が、少なくともその一方側の縁部が消毒液に浸かるように前記収容部の内部に収容しているので、基材の使用量に関係なく、常に基材束の一方側の縁部が消毒液に浸っていることになるので、常に十分な量の消毒液が含浸した消毒綿を使用することができる。
また、この場合、ジグザグ状に折り畳まれた前記基材束の底面を収容部の側面に固定することにより、消毒綿を最後まで使い切ることが可能になる。
さらにまた、小片に切り離し可能に形成された帯状基材をジグザグ状に折り畳んでなる基材帯で前記基材を構成し、ジグザグ状に折り畳まれた前記基材束を、少なくともその底部が消毒液に浸かるように前記収容部の内部に収容することにより、基材帯の底部が常に消毒液に浸かっていることになるので、毛管現象により常に十分な量の消毒液が含浸した消毒綿を使用することができる。
また、この場合、ジグザグ状に折り畳まれた前記基材束の底面を収容部の底面に固定することにより、消毒綿を最後まで使い切ることが可能になる。
さらにまた、前記ハウジングの収容部に、取出口から取り出される前の消毒綿を絞る絞り部を設けることで、使用するのに十分量のアルコールが含まれた状態で取り出すことができると同時に取り出されていない消毒綿への雑菌の混入やアルコールの蒸発のリスクを低減でき、そして消毒綿を取り出す時にアルコールがたれてハウジング及びその周囲を汚すことがない。
【図面の簡単な説明】
【０００７】
【図１】本発明に係る消毒綿収容装置の概略斜視図である。
【図２】図１に示した消毒綿収容装置の蓋体が開いた状態を示す斜視図である。
【図３】図１に示した消毒綿収容装置の内部構造の一実施例を示す概略縦断面図である。
【図４】消毒綿収容装置の内部構造の別の実施例を示す概略縦断面図である。
【図５】消毒綿収容装置の内部構造のさらに別の実施例を示す概略縦断面図である。
【発明を実施するための形態】
【０００８】
以下、添付図面に示した幾つかの実施例を参照しながら本発明に係る消毒綿収容装置の実施の形態を説明していく。
図１は本発明に係る消毒綿収容装置の概略斜視図、図２は図１に示した消毒綿収容装置の蓋体が開いた状態を示す斜視図、図３は図１に示した消毒綿収容装置の内部構造の一実施例を示す概略縦断面図である。
図面に示すように、消毒綿収容装置は、直方体のハウジング１を備え、ハウジング１の上板１ａには開閉可能な蓋体２が設けられている。
ハウジング２の内部には、消毒綿収容部３が形成され、この収容部３にアルコール溶液等の消毒液及び消毒綿１０が収容されている。
前記ハウジング１の上板１ａには、内部に収容された消毒綿１０を取り出すための消毒綿取出口４が形成されている。
図３に示すように、取出口４は、ハウジング１の上板１ａに形成された凹部４ａと、一対のガイド板４ｂ及び４ｃとを備え、消毒綿１０がガイド板４ｂ及び４ｃの間を通って取り出されるように構成されている。
前記蓋体２は、その後部を軸にして上下に回動して開閉するように構成されている。また、図２に示すように、蓋体２の両側縁には下方、即ち、蓋体２を開いた時にハウジング１の上板１ａに向かって伸びる側板２ａ，２ｂが設けられており、これにより、蓋体２を開いた時に、取出口４の周囲が、蓋体本体２、側板２ａ，２ｂ及びハウジング１の上板１ａによって囲まれる。
蓋体２の裏面には、殺菌剤発生手段５が設けられている。この殺菌剤発生手段５は、蓋体２を開いた時に空気中の物質との反応によって殺菌剤を発生するように構成されている。殺菌剤発生手段５は、例えば、二酸化塩素を水溶液中で保持して安定に二酸化塩素ガスを放散することができるように構成され得る。二酸化塩素は、通常は常温下では気体で存在する物質であるが、水に溶けやすいために、水溶液中に保持することで、安定に二酸化塩素ガスを放散することができる。具体的には、殺菌剤発生手段５は、液体二酸塩素をゼオライトや多孔性樹脂に保持させた顆粒剤やタブレット固形剤とし、通気性のある袋体で収容して成り、未使用時は外気との交換がないように密封保持され、使用時に開封することで大気中のガスや水分と反応させ、二酸化塩素が放散するように構成され得る。
二酸化塩素分子は、フリーラジカル構造を持っており、強力な酸化作用があるためにウイルス、細菌、真菌（カビ）の中のアミノ酸を酸化する。この酸化作用により、ウイルス、細菌、真菌が変性し生物機能が低下することになる。
上記したように構成された殺菌剤発生手段５によって、蓋体２を開けている状態で、取出口４の周囲に殺菌剤含有雰囲気が生成される。本実施例の場合、取出口４の周囲が蓋体２、側板２ａ，２ｂ及びハウジング１の上板１ａによって囲まれているので、殺菌剤発生手段５によって発生された二酸化塩素ガス等の殺菌剤が拡散し難く、取出口４の周囲が適度な濃度の殺菌剤含有雰囲気に保たれる。
これにより、取出口４の周囲が空間除菌され、取出口４から消毒綿１０を取り出す時に酒精綿が細菌で汚染されることがなくなる。
【０００９】
図３は上記したように構成された消毒綿収容装置の内部構造の一実施例を示す概略断面図である。
図面に示すように、ハウジング１の内部には消毒綿収容部３が形成されており、この収容部３には消毒液６が入れられている。ここで、消毒液６は、例えば、消毒綿として利用可能な殺菌力を有する消毒液であれば任意の消毒液でよく、具体的には、例えば、アルコール溶液、詳細には、エタノール７０％（ｗｔ）溶液又はイソプロピルアルコール７０％（ｗｔ）溶液であり得る。溶媒としては水が用いられ得るが、水に限定されるものではない。また、消毒液は混合液、例えば、エタノール及びイソプロピルアルコールを混合した溶液でもよい。アルコールに耐性のない患者向けに使用されるポピドンヨード液でもよく、より殺菌効果の高いグルタルアルデヒド溶液でもよい。
また、収容部３には、消毒綿を構成する脱脂綿や不織布等の帯状基材がロール状に巻き回された基材ロール１０が収容されている。この基材ロール１０は、小片に切り離すことができるように切断線（図示せず）を有し、かつ、予め使用するのに適切なサイズに容易に折り畳むことができるように折り目が付されており、アルコール溶液６に浸かった状態で転動可能に収容部３の底部に置かれており、その先端が前記取出口４のガイド板４ｂ及び４ｃによって挟持された状態で取出口４に保持されている。
これにより、使用者が取出口４から基材ロール１０、即ち、消毒綿１０を引き出すと、収容部３の内部で基材ロール１０が転がるため基材ロール１０は万遍なく消毒液６に浸されることになる。
上記したように、基材ロール１０が収容部３の内部で常に消毒液６に浸された状態で保持されているので、取り出した消毒綿１０には十分な量の消毒液が含浸されており、また、蓋体２を開いて消毒綿１０を取り出す時には取出口４の周囲が殺菌剤含有雰囲気に保たれて空間除菌されているので、取り出す時に酒精綿が細菌汚染されることがない。
【００１０】
図４は、上記したように構成された消毒綿収容装置の内部構造の別の実施例を示す概略縦断面図である。以下、図１〜図３に示した実施例の構成部材と対応する構成部材には同じ符号を付して説明をしていく。
図面に示すように、ハウジング１の内部には消毒綿収容部３が形成されており、この収容部３には消毒液６が入れられている。前記消毒液６は、消毒綿として利用可能な殺菌力を有する消毒液であれば任意の消毒液でよく、例えば、アルコール溶液を用いることができ、また、アルコールに耐性のない患者向けに使用されるポピドンヨード液でもよい。
収容部３には、消毒綿を構成する脱脂綿や不織布等の帯状基材をジグザグ状に折り畳んでなる基材塊体１０が収容されている。この基材塊体１０を構成する帯状基材には小片に切り離すことができるように切断線（図示せず）が設けられている。また、前記小片には、予め使用するのに適切なサイズに容易に折り畳むことができるように折り目が付されていると有利である。また、この基材塊体１０は、図４に示すように一方側の縁部１０ａを下にして、縁部１０ａが消毒液６に浸かるように前記収容部３に収容されている。
また、前記基材塊体１０は、その底部１０ｂが収容部３の側壁、即ち、ハウジング１の側板１ｂに固定され得る。図４に示した消毒綿収容装置は、使用初期は基材塊体１０が、それ自身の重みで安定しているが、使用するに従って基材塊体１０が次第に小さくなって軽くなり、その結果、消毒綿を使い切る前に、基材塊体１０が収容部３の中で宙に浮いてしまい、消毒液６から全体が出てしまう等の問題が生じる可能性がある。前記したように基材塊体１０の底部１０ｂをハウジング１の側板１ａに固定することで、基材塊体１０が小さくなっても宙に浮くことがなくなり、消毒綿を最後まで使い切ることができるようになる。
【００１１】
図５は、上記したように構成された消毒綿収容装置の内部構造のさらに別の実施例を示す概略縦断面図である。以下、図１〜図３に示した実施例の構成部材と対応する構成部材には同じ符号を付して説明をしていく。
図面に示すように、ハウジング１の内部には消毒綿収容部３が形成されており、この収容部３には消毒液６が入れられている。前記消毒液６は、消毒綿として利用可能な殺菌力を有する消毒液であれば任意の消毒液でよく、例えば、アルコール溶液が用いられる。また、アルコールに耐性のない患者向けに使用されるポピドンヨード液でもよい。
収容部３には、消毒綿を構成する脱脂綿や不織布等の帯状基材をジグザグ状に折り畳んでなる基材塊体１０が収容されている。この基材塊体１０を構成する帯状基材には小片に切り離すことができるように切断線が設けられている。また、この基材塊体１０は、図５に示すように、その底部１０ｂを下にして、底部１０ｂが消毒液に浸かるように前記収容部３に収容されている。
また、前記基材塊体１０は、その底部１０ｂが収容部１の底板、即ち、ハウジング１の底板１ｃに固定され得る。図５に示した消毒綿収容装置１は、使用初期は基材塊体１０が、それ自身の重みで安定しているが、使用するに従って基材塊体１０が次第に小さくなって軽くなり、その結果、消毒綿を使い切る前に、基材塊体１０が収容部３の中で宙に浮いてしまい、消毒液６から全体が出てしまう等の問題が生じる可能性がある。前記したように基材塊体１０の底部１０ｂをハウジング１の底板１ｃに固定することで、基材塊体１０が小さくなっても宙に浮くことがなくなり、消毒綿を最後まで使い切ることができるようになる。
【００１２】
前記したように構成された消毒綿収容装置は、消毒綿１０を取出口４から引き出す時にハウジング１が動いてしまわないように、ハウジング１を机や壁に固定して使用することが好ましい。このために、例えば、ハウジング１の底面、背面及び／又は側面に両面テープ等の任意の固定手段が設けられ得る。
また、前記ハウジング１は、透明又は半透明の材料で構成され得る。このようにハウジング１を透明又は半透明の材料で構成することで、基材や消毒液の残量を外から視認することができるようになる。
さらにまた、上記した実施例では、消毒綿を構成する基材が小片に切り離すことが可能な帯状基材で構成されているが、これは本実施例に限定されることなく、例えば、四角形の小片綿部材から成る複数の基材をそれぞれ少なくとも二つに折り畳み、一つの折り畳まれた基材の一辺を他の折り畳まれた基材で挟むように互い違いに複数の基材を重ねて基材束を用いてもよい。この場合でも、取り出されたときに容易に折り畳むことができるように取り出される小片一枚毎に折り畳みの折目がつけられ得る。
【００１３】
上記した実施例によれば、ハウジング１の上板１ａに消毒綿取出口４を設け、該取出口４を、消毒綿が通過できる程度の狭い間隔離間された一対のガイド板４ｂ及び４ｃで構成しているので、たとえ、ハウジング１が倒れる等しても、内部に収容された消毒液がハウジング１から漏れ出ることがない。
また、前記取出口４は実質的に消毒綿で塞がれているため収容部３の内部は実質的に密閉された状態になる。よって、内部の消毒液の蒸発を最低限に抑えることができる。
さらに、基材ロール又は基材塊体を、その一部が消毒液に常に浸かるように収容部に収容しているので、収容部３に入れておく消毒液の量を最低限にすることができるのでコストが抑えられ、かつ、消毒綿収容装置の重量も軽くすることができる。
さらにまた、該取出口４を、消毒綿が通過できる程度の狭い間隔離間された一対のガイド板４ｂ及び４ｃで構成することにより、消毒綿を取り出す直前にガイド板４ｂ及び４ｃで挟まれて消毒綿の余分な消毒液が絞られるので、消毒綿収容装置の外部にアルコールが垂れて汚れる等の問題がない。
【符号の説明】
【００１４】
１  ハウジング
１ａ  上板
１ｂ  側板
２  蓋体
２ａ  側板
２ｂ  側板
３  消毒綿収容部
４  消毒取出口
４ａ  凹部
４ｂ  ガイド板
４ｃ  ガイド板
５  殺菌剤発生手段
６  消毒液
１０  消毒綿（基材ロール／基材塊体）
１０ａ  側縁
１０ｂ  底部
【図１】
2015168463.tif 000003
【図２】
2015168463.tif 000004
【図３】
2015168463.tif 000005
【図４】
2015168463.tif 000006
【図５】
2015168463.tif 000007